(57)【特許請求の範囲】
【請求項１】
１もしくは複数の流体入口ポートと、出口ポートとを有するハウジングを具備し、流体タンク内に装着されるバルブであって、前記ハウジングは、前記出口ポートが開成した開成位置と、出口ポートがシールされるように閉成した閉成位置との間を、タンク内の流体のレベルに対応してハウジング内で軸方向に変位可能なフロート形式のバルブ部材を収容している、バルブにおいて、
前記ハウジングは、ノズル部材と一体的に形成されており、このノズル部材は、前記出口ポートと連通していると共に、タンク内に延びて出口を備えた主部分を有し、また、
前記出口ポートは、前記ハウジングの傾斜された上端壁に形成されていると共に、バルブの長軸に対して傾斜して形成されたスリット状の開口により規定されており、また、
前記バルブ部材の、前記開口と面した上面は、前記長軸に対して前記開口と等しく傾斜されており、
前記バルブ部材には、細長く可撓性のある閉塞膜ストリップが設けられており、このストリップは、バルブ部材がハウジングの上端壁と当接する位置へと上昇されたときにのみ前記開口を充分に閉成するように係合する、
ことを特徴とするバルブ。
【発明の詳細な説明】
【０００１】
【発明の属する技術分野】
本発明は、一般的に、流体タンク並びにこのようなタンクにおけるフィッティングのためのバルブの分野に関わり、特に、タンクへのバルブの接続と、このために適したタンクとに関する。
【０００２】
【従来の技術】
多様なバルブ手段が、夫々異なった要求に対して、夫々異なったタイプの流体タンクに適合可能である。典型的な例は、車両の流体タンク、自動車の流体コンテナ、様々の工業及び化学処理に使用される様々のコンテナ等である。
【０００３】
【発明が解決しようとする課題】
バルブのハウジングを容易に収容し得るサイズの開口を機能させ、様々の手段、例えば溶接、熱溶接、様々のファスナー等でバルブを固定して取り付けることによってタンクにバルブを接続するのが、一般的なやり方である。しかしながら、この処理（arrangement）には、幾つかの欠点がある。第１に、バルブのハウジングとタンクとの間に特別なシール手段を提供することが必要である。第２に、各バルブのアセンブリは、比較的に、時間を消費する。
【０００４】
次に、上述された処理の結果、このような１以上のバルブを保持するタンクの外面が、出口ノズルの少なくとも一部とこれに接続された管とを、時によっては幾つかの電気配線系統に対する場合と同様に、支持する。これは、非常に僅かな効果しかなく、特別の空間デザインと、他の配慮とを必要とする。
他の重大な問題は、車両で使用される燃料タンクに、特に関係している。現在、環境関連の団体や当局の間で、燃料タンク及び付属品からの燃料の浸透率を最小にするべきだという要求が、刻々と増加してきている。この要求の結果、現在では、バルブと燃料タンクとの間で実質的に浸透の生じない接続を確実にするために、新しい接続手段が必要とされている。
【０００５】
タンクへのバルブの接続に関連する１つの懸念が、バルブの効果的な作業レベル、即ちバルブが閉まるレベル（カットオフ（Ｃｕｔ-ｏｆｆ）もしくはシャウトオフ（ｓｈｏｕｔ−ｏｆｆ）と呼ばれる時間）と、バルブが再び開かれるレベルとである。作業レベルを管理するための懸念の１つが、特に車両において有意な重要性を有する空間の消費である。かくして、“空所（ｄｅａｄ  ｓｐａｃｅ）”、即ち“最大燃料レベル”と燃料タンクの上壁との間の空間が、最小まで減じられる必要がある。しかしながら、タンクにバルブを挿入することによって、空所を増加させないように処理が成されなくてはならない。
【０００６】
本発明の第１の目的は、流体タンクにバルブを接続するための新しい概念を提供することである。本発明の更なる目的は、このようなバルブを収容するためのタンクを提供することである。
【０００７】
【課題を解決するための手段】
第１の態様に基づいて、本発明は、流体タンク内に適合されたバルブを提供する。このバルブは、1もしくは複数の流体入口ポートと、出口ポートとを有するハウジングを具備し、流体タンク内に装着されている。ハウジングは、前記出口ポートが開成した開成位置と、出口ポートがシールされるように閉成した閉成位置との間を、タンク内の流体のレベルに対応してハウジング内で軸方向に変位可能なフロート形式のバルブ部材を収容している。
前記ハウジングは、ノズル部材と一体的に形成されている。このノズル部材は、前記出口ポートと連通していると共に、タンク内に延びて出口を備えた主部分を有することを特徴とする。
【０００８】
好ましい実施形態において、バルブは、全体が流体タンク内に収容されている。第１の応用例に基づいて、バルブのハウジングは、タンクの上壁に形成され、対応した開口内に固定して受け入れられるためのステム部材を備えた上部を有する。タンクに形成された開口は、通気開口もしくはブラインドボアである。
【０００９】
第２の応用例において、バルブのハウジングは、タンクの上壁と一体的な、対応した第２の接続部材と係合するように設けられた第１の接続部材を備えた上部を有する。第１の接続部材と第２の接続部材とは、一緒になってスナップ接続を果たす。
【００１０】
タンク内のいわゆる空所を最小にするために、ハウジングの上壁部分は、タンクの上壁の底面と当接している。ハウジングは、これの上端か上端近くに位置する少なくとも１つの開口と、ハウジングの底端に位置する１もしくは複数の開口とを有する。
【００１１】
好ましい実施形態において、タンクへの入口開口は、ハウジングから延びた壁部分によって覆われている。この配置は、液飛びを防ぎ、バルブの不安定な位置付けを招く。
【００１２】
好ましくは、本発明のバルブは、車両の燃料タンク中に適合される。かくして、バルブは、ロールオーババルブ（ＲＯＶ）と、オーバフイール禁止バルブ（ＯＦＩ）と、フイールリミットベントバルブ（ＦＬＶＶ）との１もしくは複数の機能を有する燃料バルブである。
【００１３】
時として、タンクの上壁で形成され、対応した開口を介してバルブの上面から延びたステム部材が提供される。開口は、燃料の蒸気を通さないパッチ部材によりシールされるように覆われている。このような配置に基づいて、パッチ部材は、蒸気を通さないように、タンクの外面に取り付けられる。
【００１４】
本発明の他の実施形態において、タンクの上壁にはキャビティが形成され得る。このキャビティは、バルブのハウジングの少なくとも一部を収容する。また、このキャビティは、タンクの上壁に形成された引っ込めスペース（indention）であるか、開いた端を備えた、上壁からの管状拡張部である。この開いた端は、適当なカバー部材によってシールされている。１つの配置に係われば、ハウジングは、対応するキャビティ内にスナップ係合するためのスナップ係合機構を有する。好ましくは、ノズル部材の主部分は、前記ハウジングの底端からか底端近くから延びている。
【００１５】
タンクの上壁がキャビティを有して形成されている場合、ハウジングの１もしくは複数の第１の底入口ポートは、タンクの上壁の底面でか底面近くで延びており、また、１もしくは複数の第２の上入口ポートは、前記キャビティ内で延びており、そして、前記１もしくは複数の第２の入口ポートは、タンクの内部スペースと連通している。この配置は、タンク内の空所を最小にするように、これをなくすか、減じる。
【００１６】
ハウジングは、タンクの上壁に形成された対応するキャビティ内に受けられている。ここでは、好ましくは、バルブとキャビティの壁との間に密閉的な配置が成されている。
【００１７】
１つの特別な配置に基づいて、ハウジングは、これの上端に形成され、タンクの上壁の上面を覆うように設けられ、横方向に延びた壁部を有する。この配置に係われば、ハウジングは、ハウジングを収容するようなサイズに形成された開口を有し、前記横方向に延びた壁部は、この開口よりも大きい
更に好ましくは、この実施形態に係われば、ハウジングの上壁に形成された開口は、燃料の蒸気を通さないパッチ部材によりシールされるように覆われている。
【００１８】
好ましいデザインに基づいて、ノズル部材の主部分は、タンクの上壁の底面近くで延びている。
【００１９】
バルブの好ましいデザインに基づいて、出口ポートは、バルブの長軸に対して傾斜されたスリット状の開口である。バルブ部材の、前記開口と面した上面は、長軸に対してほぼ等しく傾斜されており、また、細長く可撓性のある閉塞膜ストリップが、前記バルブ部材の上面に一端のみで留められている。ハウジング内でのバルブ部材の回転を防ぐように、適当な手段が設けられている。
【００２０】
本発明の第２の態様に係われば、上述されたようにバルブを固定的に受けるための流体タンクが提供される。この第２の態様に係われば、1もしくは複数の流体入口ポートと、出口ポートとを備えたハウジングを有し、このハウジングが、前記出口ポートが開成した開成位置と、出口ポートがシールされるように閉成した閉成位置との間を、タンク内の流体のレベルに対応してハウジング内で軸方向に変位可能なフロート形式のバルブ部材を収容している、バルブが上壁に支持された流体タンクが提供される。
【００２１】
このタンクは、バルブ全体が流体タンク内に収容されており、また、バルブは、前記上壁の部分から延びていることを特徴とする。
【００２２】
本発明の第２の態様に係われば、タンクは、バルブのハウジングの最上部に形成された対応する部材と係合するように設けられた接続部材により、前記上壁の底面に適合されている。
【００２３】
１つの特別な実施形態に係われば、タンクは、この上壁にバルブを収容できる大きさにされたキャビティを有する。キャビティは、典型的には、ほぼ全体的にバルブを収容する。かくして、ノズルの主部分は、バルブのハウジングの底端からもしくはこれに近接して延びている。一実施形態において、キャビティは、管形状で、タンクの上面から上方へ延びている。
【００２４】
好ましくは、タンクに形成された前記キャビティは、バルブの壁との係合のためのスナップ手段を有する。更に好ましくは、ハウジングは、タンクのキャビティ内に、シールされるように受けられている。
【００２５】
【発明の実施の形態】
本発明をより理解し、実際にどのように実行されるかを見ていくために、本発明は、限定されないいくつかの実施例のみによって、図面を参照して示されている。
【００２６】
まず、下側部分２４を有し、下方に突出している接続ステム２２と一体的に形成された燃料タンク（図に示されていない）の上壁２０の切断された部分を示している図面中の図１に注意が向けられる。この接続ステム２２は、内側に窪んだ中空部分２６によって形成されている。
【００２７】
全体に渡って参照符号３０が付されたロールオーバーバルブ（ＲＯＶ）は、これ自体、公知の設計であり、ハウジング３１と、一端４０に留められ、細長く、可撓性のある閉成膜ストリップ３８が取着されている傾斜した上壁部分３６と共に前記ハウジングの上面に形成され、ばね３４によって付勢されたフロート部材３２とを有する。前記ハウジング３１は、この上端に、前記壁のステム２２とスナップ的に係合するための環状のスナップ係合部材３３を有する。このハウジング３１には、これの底壁４６に第１の入口４４が、また、前記ハウジング３１の上部部分に第２の入口４８が形成され、この入口４８は、ハウジング３１から延出し、かつ入口４８を通って直接噴射するのを防止するのに役立つ上部開口５４と側部開口５６とが形成された壁部分５２によって覆われている。
【００２８】
ハウジング３１は、さらに、壁部分３６の傾斜と同様に、前記バルブの長軸に対して傾斜したスリット状の開口である出口ポート５８が形成されている。ノズル部材６０が、出口ポート５８と流動的に連通し、前記タンクの壁２０と隣接して実質的に平行に延出している主チューブ部分６４を有する。
【００２９】
前記バルブ３０のバルブメカニズムの特定の構造は、公知の設計であり、これによって、前記ばね３４は、前記フロート部材３２に作用する浮力と共に、前記膜のストリップ３８を前記出口開口５８にシールするようにして係合するように押されるのに使用され、一方で、前記フロート部材３２に作用する重力は、出口ポート５８とのシール係合から前記ストリップの膜３８を連続的に引き離すように、前記出口ポート５８から外すのに役立つ。
【００３０】
フロート部材３２は、前記ハウジング３１内で軸方向に位置が合わされて回転しないことを保証し、これによって、出口ポート５８の適切な密閉を保証することが重要である。このために、前記ハウジング３１と前記フロート部材３２は、それぞれ、相互にかみ合うラジアルリブ５７，５９が設けられている。
【００３１】
特別なバルブが図示されている一方で、本発明の入口よりもむしろ、前記バルブ３０と前記燃料タンクの壁２０との間の前記接続手段に焦点が当てられることが理解される。
【００３２】
さらに、一般的に設計されたバルブ８０を燃料タンク（壁部８２だけが示されている）の上壁８２に接続するのに適切な本発明の参考例を示している図２に注意が向けられる。この参考例に関し、バルブ８０のハウジング８６は、この上壁９０で、壁８２に形成された対応する開口９８へスナップ的に係合し、これによって、ハウジング８６の上面９０が壁８２の底面１０２に接して硬く支持するようになる整合された直立の接続ステム９４を有する。
【００３３】
開口９８を通じた浸透を実質的に無くすことを確実ならしめるために、パッチ部材１０８がスナップ係合部の上で熱溶接されている。この目的のため、パッチ部材１０８は、好ましくは、壁８２の外面１１０に溶接するための少なくとも１つの熱溶接層を有する多層からなる。しかしまた、前記タンクの上壁に形成された開口が、貫通しないことは、任意である。後者の場合、閉塞パッチ部材が必要ではない。いわゆるブラインド（ｂｌｉｎｄ）ボアは、それ自体公知であるので、別のあらゆる方法で形成されていて良い。
【００３４】
前記バルブ８０のバルブメカニズムは、図１のバルブ３０のバルブメカニズムと本質的に同様であり、したがって、前記フロート部材１１４は、壁部１１６のように一致して傾斜したスリット状の開口１２２とシール係合するように整合された可撓性の閉塞膜ストリップ１１８が取着された傾斜している上壁１１６が形成される。さらに、ノズル部材１２６は、出口ポート１２２と流動的に連通し、この主要部分１２８は、壁８２の底面に隣接して延出している。
【００３５】
バルブ部材８０は、例えば燃料充填中に、大量の空気の排気を可能とするように取着された第２のフロート部材１３２が取着され、かなり大量の空気が、入口開口１３４を通って排気することが分かる。しかし、燃料が前記第２の浮動部材１３２とかかわるとすぐに、前記入口１３４は、（浮力によって）閉じられ、したがって、前記ハウジング８６の上部部分にある入口１３８を通り、次に、前記バルブ部材８０の内壁部材に形成された開口１３５をとおって、空気のさらなる排気が可能となる。前記入口ポート１３８は、壁部分１４０によって覆われ、開口１３５へ燃料の噴射を防止することが分かる。それにもかかわらず、このとき、入口１３８を通って入る燃料は、開口１４２を通って、次に、前記タンクに戻って入口１３４を通って排気される。
【００３６】
図１の配置と同様に、手段は、前記フロート部材１１４が前記ハウジング８６内に軸方向に位置が合わされて回転しないことを保証し、これによって、出口１２２の適切な密閉を果たしていることが重要である。このため、前記ハウジング８６と前記フロート部材１１４は、それぞれ相互にかみ合うラジアルリブ１３７，１３９が設けられている。
【００３７】
参照は、フロート部材８０の特定の設計になされる一方で、本発明の意図は、前記バルブ部材と前記燃料タンクとの間の接続手段に焦点が当てられることが理解される。
【００３８】
図３の実施の形態において、燃料タンク（図に示されていない）の上壁部分１５０は、上側に延出し、キャビティ１５４を形成している閉じられたチューブ状の変形部１５２が形成されている。前記変形部の側壁１５６は、ハウジング１６０の上端で延出し、側方に突出した肩部１６２と係合することによって、バルブ１６１のハウジング１６０を補足するように整合された内側に突出したリム部分１５８が形成されている。
【００３９】
ハウジング１６０は、適切な環状溝内に収容されたＯ−リング１６８によって密閉が得られるように、前記キャビティ１５４内に密閉的に収容され、上部チャンバ１７０と底部チャンバ１７２とを形成する。
【００４０】
ハウジング１６０は、底壁１７６に第１の入口ポート１７８が形成され、側壁に他の入口ポート１８２が形成されている。
【００４１】
さらに、前記ハウジング１６０は、前記バルブの長軸に対して傾斜した実質的に延出しているスリット状の出口ポート１８６が形成されている。ノズル部材１８９は、前記出口ポートと流動的に連通している開口端１９２を有し、前記タンクの上壁１５０の隣接して延出している主部分１９４を有する。
【００４２】
図３にさらに見られ得るように、ハウジング１６０は、入口ポート１８２へ直接燃料が噴射するのを防止するための噴射防止スカート（ｓｋｉｒｔ）１９８が形成されている。
【００４３】
ハウジング１６０内に収容されているように、このハウジングの上面２０２で、一端２０６で固定され、かつ上面２０２延出しているストリップ状の可撓部材２０４が取着されたフロート部材２００があり、前記上面２０２は、前記出口開口１８６と同様に前記ハウジングの長軸に対してオフセットされている。
【００４４】
フロート部材２００は、一端で、このフロート部材２００に接し、他端でハウジング１６０のベース壁１７６に接して支持されているばね２１０によって、上側に付勢されている。
【００４５】
フロート部材２００は、前記ハウジング１６０内に軸方向に位置が合わされて回転しないことを保証し、これによって、出口１８６の適切な密閉を果たしていることが重要である。このために、前記ハウジング１６０と前記フロート部材２００は、それぞれ相互にかみ合うラジアルリブ２１４，２１６が設けられている。
【００４６】
図３に示されている実施の形態に関して提供された配置は、一方で、前記燃料タンクの上壁１５０が穴があけられず、他方で、前記キャビティ１５４内に取着されたバルブが前記タンクの端の先まで機能する、すなわち小さなデッドスペースを省き、したがって、実際、前記タンクの全体積が、燃料のために使用されるという大きい効果を提供する。この配置は、金属性シートからなるタンクにおいて特に有用であるが、これに限定されない。
【００４７】
さらに、バルブ及びこのチューブを収容するために、前記タンクの上壁に複数の開口が形成しており、前記全ノズル及びパイプは、共通の開口を通って前記タンクから延出していることが理解される。この開口は、前記タンク内で、前記バルブの組立てを容易にするのに十分大きくすることができる。
【００４８】
図３の実施の形態に係るバルブの配置は、原理的に、図１に関連して示されたものと同様であり、当業者は、この実施の形態の開示が指示されている。
【００４９】
図４の実施の形態において、燃料タンク（図に示されていない）の上壁部分２２０は、下側へ延出している環状のスカート部分２２４が取着された開口２２２が形成されている。この開口２２２は、例えば、前記壁２２２の上面２３０に熱溶接することなどによって、密閉的に結合されたパンチ部材２２８によって密閉されている。このパンチ部材２２８は、上述のように、燃料の蒸気に対して不浸透性である。
【００５０】
バルブ３２５のハウジング２３４は、本質的に、図１に示されたものと同様であり、上端に、壁２２０の上面２３０を指示するためのフランジがついている壁部分２３６が形成されている。Ｏ−リング２４０は、ハウジング２３４に形成された環状の溝４２内に収容され、壁２２０のスカート２２４内で、前記ハウジングを密閉して支持している。
【００５１】
さらに、前記バルブは、前記ハウジングの出口ポート２５０に流動的に連通している開端２４８を有するノズル部材２４６が形成され、ノズル主要部２５６を有する。
【００５２】
前記バルブを前記タンクとの組立ては、前記パッチ部材２２８を取着ける前に、上方から前記ハウジング２４を挿入することによって実行されることが理解される。しかし、最適な設計によって、前記タンクの内側から前記バルブを組立てることも可能である。
【００５３】
図４のバルブの動作の構造及び原理は、図１及び図３に関連して記載された物と同様である。
【００５４】
図５の実施の形態は、原理的に、図４の実施の形態と同様で、両者の差は、前記燃料タンク（図に示されていない）の壁２５２にバルブ部材２５１のハウジング２５０を取着ける方法にある。
【００５５】
しかし、本実施の形態において、ハウジング２５０は、主要部２５６と、これと例えば溶接、もしくは熱溶接によって、密閉して取着された上部部分２５８とを有する。部分２５８は、上部の支持壁部２６０と、壁２５２に形成された開口２６６上でスナップ的な係合のための弾性的にスナップするプロング（ｐｒｏｎｇ）２６２とが形成されている、開口２６６は、パッチ部材２６８によって、上述されたように、不浸透的に密閉されている。
【００５６】
ハウジング２５０は、前記ハウジングの出口ポート２７６と流動的に連通しているか異端２７４を有するノズル部材２７４が一体的に形成されている。ノズル部材２７２は、前記ハウジングから延出している主部分２７８を有する。ハウジング２５０は、入口ポート２８４，２８６が形成され、前述の実施の形態と関連して説明されてこれを参照されるように、出口ポート２７６と密閉的な係合のために軸方向に置き換えることができるフロート部材２８８を有する。
【００５７】
図６の実施の形態において、前記バルブ２８９は、図面中の図５を参照して示され、かつ説明されたのと原理的に同様であるハウジング３０１を有し、したがって、同じ部材は、最初の参照符号に（´）の付された同じ参照符号が与えられている。本実施の形態と図５の実施の形態との主な違いは、前記タンクの上壁２５２´に前記バルブ２８９のメカニズムを付加したことにある。
【００５８】
前記ハウジング２８９の上部部分において、弾性的にスナップ係合しているプロング３０３が４つ形成されている（３つだけ見られる）。これらプロング３０３は、前記ハウジングと一体的に形成され、これらの弾性は、前記ハウジングの側壁３０１に形成されたスリット部３０５によって得られる。前記プロング３０３の上面３０７は、壁２５２'の上面３０５上でのスナップ係合を容易にするように傾斜されている。ディスク形状の上部カバー３０９は、ハウジング３０１に形成された上部開口内に密閉的に収容されたスカート状の部分３１１（部分的に切断されている）を有し、このカバー３０９は、前記ハウジングの上部を密閉することと、前記壁２５２'から前記プロング３０３が自然に外れるのを防止することとの両方に役立つ。
バルブ２８９の他の構成要素及びそれら機能は図５の実施の形態と同様である。ハウジングは、出口ポート２７６’、第１の底入口ポート２８４’、及び第２の上入口ポート２８６’と流動的に連通しているノズル２７２’を備えて形成されている。フロート部材２８８’はハウジング内で変位可能であり、カバー２６８’は壁２５２’に形成された開口を不浸透的に密閉している。
【００５９】
図面の図７に示されたさらにまた別の実施の形態において、燃料タンク（図に示されていない）の上壁２９０が示されており、この上壁は、傾斜した座部２９４で終端しているチューブ状のエクステンション２９２が形成されている。チューブ状の部分２９２は、典型的には、この部分２９２のエクステンション２９８条で熱溶接され、燃料の蒸気に対して不浸透性であるパッチ部材２９６によって密閉されている。
【００６０】
バルブ部材３００は、例えば溶接によって密閉的に取着された上部部分３０４を備えたハウジング３０２を有し、この上部部分３０４は、壁部２９０と隣接して延出している主要部３１６を有するノズル部材３１４の入口ポート３１２に流動的に連通している傾斜したスリット状の出口ポート３１０が形成されている。
【００６１】
ハウジング３０２の上部部分３０４は、前記燃料タンクの傾斜部分２９４上で支持された固いが弾性的な側部エクステンション３２０を有する。また、バルブ３００は、チューブ状のエクステンション２９２の内面３２６に接して支持している環状の壁３２４によって前記環状のエクステンション２９２内で支持されている。環状の壁３２４は、ハウジング部３０６に形成された入口ポート３３０と連通している流路３２８が形成されている。側方に延出している環状のスカート３３６は、入口ポート３３０の方へ燃料が噴射するのを防止する。第２の入口ポート３３８は、ハウジング部の底壁３０２に設けられている。この配置は、前記タンクの内側で前記バルブを組立てるのに適している。
【００６２】
フロート部材３４０は、前記ハウジング３０２内で軸方向に外すことができ、ばね３４２によって付勢されたばねである。フロート部材３４０の上面３４６は、出口ポート３１０と密閉的な係合のためのストリップ状の膜３４８が取着されている。
前記バルブの動作は、前述の実施の形態と関連して説明されたものと同様である。
【００６３】
【発明の効果】
特に図３及び図７の実施の形態は、前記タンクの上部にあるわずかなデッドスペースを減らすのに適しており、したがって、デッドスペースがなくされ、もしくは最小まで減らされた状態で、燃料レベルが本質的に前記タンクの上部に達したとき、シャットオフが生じることが当業者によって容易に理解される。
【００６４】
これは、前記タンクの上壁で上側に形成されたキャビティ内に前記バルブが収容されることによって果たされ、前記バルブのハウジングの底部の１以上の入口ポートは、前記ハウジングの上部入口ポートが前記キャビティ内に延出し、かつ前記タンクの上部スペースと流体に対して連通している状態で、本質的に前記タンクの上壁の底面で等しいレベルにされる。
【００６５】
好ましい実施の形態が示され、また説明されたけれども、これにより記載を限定する意図ではなく、請求の範囲で規定されたように、本発明の精神並びに範囲内に入る全ての変更や配置をカバーすることを意図している。
例えば、バルブは、デザインや機能上異なり得る。さらに、機能的レベル、即ち、燃料の充填の中断が生じるレベルと、最大の充填レベルとは、異なり得る。さらに、出口ノズルは、燃料タンクの上壁と同一面に延び得るか、異なる形態となり得る。
【図面の簡単な説明】
【図１】  図１は、燃料タンクの上壁の部分及び燃料バルブの断面図であり、この燃料タンクにバルブを接続するための第１の実施の形態を示している。
【図２】  図２は、燃料タンクの上壁の部分と燃料バルブとを切断した断面図であり、参考例としての接続方法を示している。
【図３】  図３は、燃料タンクの上壁の部分と、この燃料タンクに形成されたキャビティ内に収容された燃料バルブとを切断した断面図である。
【図４】  図４は、燃料タンクの上壁内の部分と燃料バルブとを切断した断面図であり、この燃料タンクにバルブを接続するための別の実施の形態を示している。
【図５】  図５は、燃料タンクの上壁内の部分と燃料バルブとを切断した断面図であり、この燃料タンクにバルブを接続するための別の実施の形態を示している。
【図６】  図６は、燃料タンクの上壁内の部分と燃料バルブとを切断した断面図であり、この燃料タンクにバルブを接続するための別の実施の形態を示している。
【図７】  図７は、燃料タンクの上壁内の部分と燃料バルブとを切断した断面図であり、この燃料タンクにバルブを接続するための別の実施の形態を示している。
【図３】
0004615169.tif 000002
【図５】
0004615169.tif 000003
【図７】
0004615169.tif 000004
【図１】
0004615169.tif 000005
【図２】
0004615169.tif 000006
【図４】
0004615169.tif 000007
【図６】
0004615169.tif 000008